(57)【要約】【課題】有機ＥＬ素子が水分や酸素ガスによって劣化することを事前に把握することのできる有機ＥＬ装置、および当該有機ＥＬ装置を備えた電子機器を提供すること。【解決手段】有機ＥＬ装置１００では、素子基板１０において、有機ＥＬ素子８０が設けられた発光領域１０ａは封止体９０で覆われている。封止体９０の外面より内側には、水分および酸素ガスのうちの一方との接触によって特性が変化する感応体２１０が設けられ、監視手段２２０は、水分や酸素ガスとの接触に起因する感応体２１０の特性変化を監視する。このため、大気中の水分や酸素ガスが封止体９０を介して侵入した際、かかる侵入を検出することができる。【選択図】  図３
2010160905.tif 000002
【特許請求の範囲】
【請求項１】
有機エレクトロルミネッセンス素子が設けられた発光領域を備えた素子基板と、
前記発光領域を覆う封止体と、
前記封止体の外面より内側に設けられ、水分および酸素ガスのうちの一方との接触によって特性が変化する感応体と、
該感応体の特性変化を監視する監視手段と、
を有することを特徴とする有機エレクトロルミネッセンス装置。
【請求項２】
前記封止体は、前記素子基板において前記発光領域と平面的に重なる領域を覆う封止部材と、前記発光領域を外周側で囲む領域で前記素子基板と前記封止部材とを接合する封止樹脂層と、を備え、
前記感応体は、前記封止樹脂層の外周縁と前記発光領域の外周縁とに挟まれた領域に設けられていることを特徴とする請求項１に記載の有機エレクトロルミネッセンス装置。
【請求項３】
前記感応体は、前記封止樹脂層と平面的に重なる領域に設けられていることを特徴とする請求項２に記載の有機エレクトロルミネッセンス装置。
【請求項４】
前記感応体は、前記封止樹脂層と接する位置に設けられていることを特徴とする請求項３に記載の有機エレクトロルミネッセンス装置。
【請求項５】
前記感応体は、前記素子基板に設けられていることを特徴とする請求項１乃至４の何れか一項に記載の有機エレクトロルミネッセンス装置。
【請求項６】
前記感応体は、水分および酸素ガスのうちの一方との接触によって光学特性が変化し、
前記監視手段は、当該光学特性の変化を検出する光センサを備えていることを特徴とする請求項１乃至５の何れか一項に記載の有機エレクトロルミネッセンス装置。
【請求項７】
前記感応体は、水分および酸素ガスのうちの一方との接触によって、前記光学特性としての反射率が低下する金属膜であることを特徴とする請求項６に記載の有機エレクトロルミネッセンス装置。
【請求項８】
前記感応体は、水分および酸素ガスのうちの一方との接触によって、前記光学特性としての発光強度が低下する発光素子であることを特徴とする請求項６に記載の有機エレクトロルミネッセンス装置。
【請求項９】
前記感応体は、水分および酸素ガスのうちの一方との接触によって電気特性が変化し、
前記監視手段は、当該電気特性の変化を検出する電気回路を備えていることを特徴とする請求項１乃至５の何れか一項に記載の有機エレクトロルミネッセンス装置。
【請求項１０】
前記感応体は、水分および酸素ガスのうちの一方との接触によって前記電気特性としての抵抗値が変化する導電膜であることを特徴とする請求項９に記載の有機エレクトロルミネッセンス装置。
【請求項１１】
請求項１乃至１０の何れか一項に記載の有機エレクトロルミネッセンス装置を備えていることを特徴とする電子機器。
【発明の詳細な説明】
【技術分野】
【０００１】
本発明は、有機エレクトロルミネッセンス、および当該有機エレクトロルミネッセンス装置を備えた電子機器に関するものである。
【背景技術】
【０００２】
有機エレクトロルミネッセンス装置は、陽極層、有機機能層および陰極層が積層された有機エレクトロルミネッセンス素子を素子基板上に備えており、低電圧で電子注入効果を高めることを目的に、発光機能層と陰極層との層間に、アルカリ金属やアルカリ土類金属を主成分とする電子注入層が配置される場合もある。このような有機エレクトロルミネッセンス素子に用いられる有機機能層や、陰極層、電子注入層は、非常に活性であるため、大気中に存在する水分と簡単に反応して変質しやすい。かかる変質が起こると、電子注入効果が損なわれ、ダークスポットと呼ばれる非発光部分が発生してしまう。
【０００３】
そこで、素子基板において有機エレクトロルミネッセンス素子が形成されている面側をキャップなどの封止部材で覆うとともに、素子基板と封止部材とを封止樹脂層で接合した構成が提案されている（特許文献１参照）。
【特許文献１】特開平０９−１５３３９５号公報
【発明の開示】
【発明が解決しようとする課題】
【０００４】
しかしながら、特許文献１に記載の封止構造を採用した場合でも、封止樹脂層自身、封止樹脂層と素子基板との界面、あるいは封止樹脂層と封止部材との界面を通って大気中の水分や酸素ガスが内部に侵入するおそれがある。しかも、有機エレクトロルミネッセンス素子は水分や酸素ガスと接触すると比較的短時間のうちに劣化するため、有機エレクトロルミネッセンス装置ではダークスポットが発生し始めると、その数が急激に増大する。それ故、有機エレクトロルミネッセンス装置は、寿命を予測しにくいという問題点がある。
【０００５】
以上の問題点に鑑みて、本発明の課題は、有機エレクトロルミネッセンス素子が水分や酸素ガスによって劣化することを事前に把握することのできる有機エレクトロルミネッセンス装置、および当該有機エレクトロルミネッセンス装置を備えた電子機器を提供することにある。
【課題を解決するための手段】
【０００６】
上記課題を解決するために、本発明に係る有機エレクトロルミネッセンス装置は、有機エレクトロルミネッセンス素子が設けられた発光領域を備えた素子基板と、前記発光領域を覆う封止体と、前記封止体の外面より内側に設けられ、水分および酸素ガスのうちの一方との接触によって特性が変化する感応体と、該感応体の特性変化を監視する監視手段と、を有することを特徴とする。
【０００７】
本発明では、素子基板において、有機エレクトロルミネッセンス素子が設けられた発光領域は封止体で覆われ、封止体は、大気中の水分や酸素ガスによって有機エレクトロルミネッセンス素子が劣化することを防止する。また、封止体の外面より内側には、水分および酸素ガスのうちの一方との接触によって特性が変化する感応体が設けられ、監視手段は、感応体の特性変化を監視するため、大気中の水分や酸素ガスが封止体を介して侵入した際、かかる侵入を検出することができる。従って、有機エレクトロルミネッセンス素子が水分や酸素ガスとの接触によって劣化する時期を事前に把握することができる。それ故、有機エレクトロルミネッセンス素子が劣化する前に有機エレクトロルミネッセンス装置を交換するなどの対策をとることができるので、有機エレクトロルミネッセンス装置が使用中に使用不能になってしまう事態を回避することができる。
【０００８】
本発明において、前記封止体は、前記素子基板において前記発光領域と平面的に重なる領域を覆う封止部材と、前記発光領域を外周側で囲む領域で前記素子基板と前記封止部材とを接合する封止樹脂層と、を備えている構成を採用することができ、この場合、前記感応体は、前記封止樹脂層の外周縁と前記発光領域の外周縁とに挟まれた領域に設けられていることが好ましい。前記封止体が封止部材と封止樹脂層とを備えている場合、封止樹脂層から水分や酸素ガスが侵入しやすい。従って、感応体を封止樹脂層の外周縁と前記発光領域の外周縁とに平面的に挟まれた領域に設ければ、封止樹脂層から侵入した水分や酸素ガスが有機エレクトロルミネッセンス素子に到達する前に、水分や酸素ガスの侵入を検出することができる。
【０００９】
本発明において、前記感応体は、前記封止樹脂層と平面的に重なる領域に設けられていることが好ましい。かかる構成を採用すれば、封止樹脂層から侵入した水分や酸素ガスが有機エレクトロルミネッセンス素子に到達する前に、水分や酸素ガスの侵入を確実に検出することができる。
【００１０】
本発明において、前記感応体は、前記封止樹脂層と接する位置に設けられていることが好ましい。かかる構成を採用すれば、封止樹脂層からの水分や酸素ガスの侵入を確実に検出することができる。
【００１１】
本発明において、前記感応体は、前記素子基板に設けられていることが好ましい。素子基板に対しては、有機エレクトロルミネッセンス素子を形成するための複数の成膜工程を行なう。従って、これらの成膜工程を利用して、あるいはこれらの成膜工程に連続して感応体を形成する工程を行なえば、感応体を効率よく形成することができる。
【００１２】
本発明において、前記感応体は、水分および酸素ガスのうちの一方との接触によって光学特性が変化し、前記監視手段は、当該光学特性の変化を検出する光センサを備えている構成を採用することができる。
【００１３】
この場合、前記感応体は、水分および酸素ガスのうちの一方との接触によって、前記光学特性としての反射率が低下する金属膜を用いることができる。金属カルシウムなどは、水分と接触すると表面に水酸化カルシウム膜が形成されて反射率が低下し、酸素ガスと接触すると表面に酸化カルシウム膜が形成されて反射率が低下する。従って、金属カルシウムを感応体として形成すれば、反射率を監視するだけで、水分や酸素ガスの侵入を検出することができる。
【００１４】
また、前記感応体の光学特性の変化を監視する場合、前記感応体としては、水分および酸素ガスのうちの一方との接触によって、前記光学特性としての発光強度が低下する発光素子を用いてもよい。感応体として、有機エレクトロルミネッセンス素子などの発光素子を形成すれば、水分および酸素ガスとの接触によって発光素子の発光強度が低下するので、発光素子の発光強度を監視するだけで、水分や酸素ガスの侵入を検出することができる。
【００１５】
本発明において、前記感応体は、水分および酸素ガスのうちの一方との接触によって電気特性が変化し、前記監視手段は、当該電気特性の変化を検出する電気回路を備えている構成を採用してもよい。
【００１６】
この場合、前記感応体は、水分および酸素ガスのうちの一方との接触によって前記電気特性としての抵抗値が変化する導電膜を用いることができる。金属カルシウムなどは、水分と接触すると表面に水酸化カルシウム膜が形成されて抵抗値が増大し、酸素ガスと接触すると表面に酸化カルシウム膜が形成されて抵抗値が増大する。従って、金属カルシウムを感応体として形成すれば、抵抗値を監視するだけで、水分や酸素ガスの侵入を検出することができる。
【００１７】
本発明を適用した有機エレクトロルミネッセンス装置は、電子機器において表示部や光源装置などとして用いられる。
【発明を実施するための最良の形態】
【００１８】
以下、本発明の実施の形態を説明する。以下の説明で参照する図においては、各層や各部材を図面上で認識可能な程度の大きさとするため、各層や各部材毎に縮尺を異ならしめてある。
【００１９】
［実施の形態１］
（有機ＥＬ装置の電気的な構成）
図１は、本発明を適用した有機エレクトロルミネッセンス（以下、ＥＬという）装置の電気的な構成を示す等価回路図である。図１に示す有機ＥＬ装置１００において、素子基板１０上には、複数の走査線３ａと、走査線３ａに対して交差する方向に延在する複数のデータ線６ａと、走査線３ａに対して並列して延在する複数の電源線３ｅとを有している。また、素子基板１０において、矩形形状の発光領域１０ａ（画素領域）には複数の画素１００ａがマトリクス状に配列されている。データ線６ａにはデータ線駆動回路１０１が接続され、走査線３ａには走査線駆動回路１０４が接続されている。画素１００ａの各々には、走査線３ａを介して走査信号がゲート電極に供給されるスイッチング用の薄膜トランジスタ３０ｂと、このスイッチング用の薄膜トランジスタ３０ｂを介してデータ線６ａから供給される画素信号を保持する保持容量７０と、保持容量７０によって保持された画素信号がゲート電極に供給される駆動用の薄膜トランジスタ３０ｃと、この薄膜トランジスタ３０ｃを介して電源線３ｅに電気的に接続したときに電源線３ｅから駆動電流が流れ込む有機ＥＬ素子８０とが形成されている。
【００２０】
かかる構成によれば、走査線３ａが駆動されてスイッチング用の薄膜トランジスタ３０ｂがオンになると、そのときのデータ線６ａの電位が保持容量７０に保持され、保持容量７０が保持する電荷に応じて、駆動用の薄膜トランジスタ３０ｃのオン・オフ状態が決まる。そして、駆動用の薄膜トランジスタ３０ｃのチャネルを介して、電源線３ｅから第１電極層８１に電流が流れ、さらに有機機能層を介して対極層に電流が流れる。その結果、有機ＥＬ素子８０は、これを流れる電流量に応じて発光する。
【００２１】
このように構成した有機ＥＬ装置１００において、複数の画素１００ａは各々、赤色（Ｒ）、緑色（Ｇ）、青色（Ｂ）に対応し、赤色（Ｒ）、緑色（Ｇ）、青色（Ｂ）の３つの画素１００ａによって１つのピクセルを構成している。本形態において、有機ＥＬ素子８０は、白色光、または赤色（Ｒ）、緑色（Ｇ）、青色（Ｂ）の混合色光が出射され、画素１００ａが赤色（Ｒ）、緑色（Ｇ）、青色（Ｂ）のいずれに対応するかは、後述するカラーフィルタ層によって規定されている。
【００２２】
なお、図１に示す構成では、電源線３ｅは走査線３ａと並列していたが、電源線３ｅがデータ線６ａに並列している構成を採用してもよい。また、図１に示す構成では、電源線３ｅを利用して保持容量７０を構成していたが、電源線３ｅとは別に容量線を形成し、かかる容量線によって保持容量７０を構成してもよい。
【００２３】
（有機ＥＬ装置の具体的構造）
図２（ａ）、（ｂ）は各々、本発明の実施の形態１に係る有機ＥＬ装置の平面的な構成を各構成要素と共に封止基板側から見た平面図、およびそのＪ−Ｊ′断面図である。なお、図２（ｂ）にはカラーフィルタ層などの図示を省略してある。
【００２４】
図２（ａ）、（ｂ）において、有機ＥＬ装置１００では、一方面側に複数の有機ＥＬ素子８０が形成された素子基板１０を備えており、有機ＥＬ素子８０が形成されている領域が発光領域１０ａである。かかる有機ＥＬ素子８０において、後述する有機機能層や陰極層などは水分や酸素ガスにより劣化しやすく、かかる劣化は、電子注入効果の劣化を惹き起こしてダークスポットと呼ばれる非発光部分を発生させてしまう。
【００２５】
そこで、発光領域１０ａは、封止基板９５（封止部材）、第１封止樹脂層９１、および第２封止樹脂層９２からなる封止体９０によって封止されている。かかる封止体９０において、封止基板９５は、素子基板１０において有機ＥＬ素子８０が形成されている面側に重ねて配置されている。第１封止樹脂層９１は、発光領域１０ａの周りを囲む周辺領域１０ｃに沿って枠状に形成され、発光領域１０ａより外周側で素子基板１０と封止基板９５とを接着している。第２封止樹脂層９２は、第１封止樹脂層９１で囲まれた領域内において、素子基板１０と封止基板９５とを接着している。
【００２６】
本形態において、第１封止樹脂層９１には、紫外線によって硬化するエポキシ系接着剤が用いられ、かかるエポキシ系接着剤としては、好ましくはエポキシ基を有する分子量３０００以下のエポキシモノマー／オリゴマー（モノマーの定義：分子量１０００以下、オリゴマーの定義：分子量１０００〜３０００）が用いられる。より具体的には、第１封止樹脂層９１には、例えば、ビスフェノールＡ型エポキシオリゴマーやビスフェノールＦ型エポキシオリゴマー、フェノールノボラック型エポキシオリゴマー、３，４-エポキシシクロヘキセニルメチル-３′，４′-エポキシシクロヘキセンカルボキシレート、ε-カプロラクトン変性３，４-エポキシシクロヘキシルメチル３′，４′-エポキシシクロヘキサンカルボキレートなどが単独もしくは複数組み合わされて用いられる。また、エポキシモノマー／オリゴマーと反応する硬化剤としては、ジアゾニウム塩、ジフェニルヨウドニウム塩、トリフェニルスルフォニウム塩、スルホン酸エステル、鉄アレーン錯体、シラノール／アルミニウム錯体などのカチオン重合反応を起こす光反応型開始剤が添加され、主に紫外線の照射によってカチオン重合反応を起こす。
【００２７】
第２封止樹脂層９２には、熱によって硬化するエポキシ系接着剤が用いられている。かかるエポキシ系接着剤の原料主成分としては、流動性に優れかつ溶媒のような揮発成分を持たない有機化合物材料である必要があり、好ましくはエポキシ基を有する分子量３０００以下のエポキシモノオリゴマー、より好ましくは分子量１０００以下のエポキシモノマーなどである。例えば、第２封止樹脂層９２の形成には、硬ビスフェノールＡ型エポキシモノマーやビスフェノールＦ型エポキシモノマー、ノボラック形フェノールエポキシモノマー、３，４-エポキシシクロヘキセニルメチル-３′，４′-エポキシシクロヘキセンカルボキシレート、ε-カプロラクトン変性３，４-エポキシシクロヘキシルメチル３′，４′-エポキシシクロヘキサンカルボキレートなどが単独もしくは複数組み合わされて用いられる。また、エポキシモノマーと反応する硬化剤としては、強靭で耐熱性に優れる硬化皮膜を形成する付加重合型が良く、芳香族アミン、ジエチレントリアミン、トリエチレンテトラミン、ポリエーテルジアミンなどのアミン類や、３−メチル−１，２，３，６−テトラヒドロ無水フタル酸、メチル−３，６−ンドメチレン−１，２，３，６−テトラヒドロ無水フタル酸、１，２，４，５−ベンゼンテトラカルボン酸二無水物、３，３′，４，４′−ベンゾフェノンテトラカルボン酸二無水物などの酸無水物系硬化剤、ジシアンジアミドなどが挙げられる。これらと、芳香族アミノアルコールやアルコール類、メルカプタンなどの反応開始剤または３級アミン触媒、シランカップリング剤と共に混合されて用いられる。
【００２８】
なお、素子基板１０において、封止基板９５からの張り出し領域には端子１０２が形成されている。また、素子基板１０において、周辺領域１０ｃや、発光領域１０ａと周辺領域１０ｃとに挟まれた領域を利用して、図１を参照して説明したデータ線駆動回路１０１および走査線駆動回路１０４（図示せず）が形成されている。
【００２９】
（有機ＥＬ素子の構成）
図３（ａ）、（ｂ）は各々、本発明の実施の形態１に係る有機ＥＬ装置の断面構成を模式的に示す断面図、およびその周辺領域１０ｃの平面構成を模式的に示す平面図である。なお、図３には、有機ＥＬ素子として、赤色（Ｒ）、緑色（Ｇ）、青色（Ｂ）に対応する３つの有機ＥＬ素子のみを示してある。
【００３０】
図３（ａ）に示すように、素子基板１０は、石英基板、ガラス基板、セラミック基板、金属基板などからなる支持基板１０ｄを備えている。支持基板１０ｄの表面には、絶縁膜１１、１２、１３、１４、１５が形成され、絶縁膜１５の上層には有機ＥＬ素子８０が形成されている。本形態において、絶縁膜１１、１２、１３、１５は、酸化シリコン膜や窒化シリコン膜などから形成され、絶縁膜１４は、厚さが１．５〜２．０μｍの厚い感光性樹脂からなる平坦化膜として形成されている。絶縁膜１１は下地絶縁層であり、図示を省略するが、絶縁膜１１、１２、１３、１４の層間などを利用して、図１を参照して説明した薄膜トランジスタ３０ｂ、３０ｃ、保持容量７０、各種配線や各駆動回路が形成されている。また、絶縁膜１２、１３、１４、１５に形成されたコンタクトホールを利用して、異なる層間に形成された導電膜同士の電気的な接続が行なわれている。
【００３１】
本形態の有機ＥＬ装置１００は、トップエミッション型であり、矢印Ｌ１で示すように、支持基板１０ｄからみて有機ＥＬ素子８０が形成されている側から光を取り出すので、支持基板１０ｄとしては、アルミナなどのセラミックス、ステンレススチールなどといった不透明な基板を用いることができる。また、絶縁膜１４、１５の層間には、アルミニウム、銀、それらの合金からなる光反射層４１が形成されており、有機ＥＬ素子８０から支持基板１０ｄに向けて出射された光を光反射層４１で反射することにより、光を出射可能である。なお、有機ＥＬ装置１００をボトムエミッション型で構成した場合、支持基板１０ｄの側から光を取り出すので、支持基板１０ｄとしては、ガラスなどの透明基板が用いられる。
【００３２】
素子基板１０では、絶縁膜１５の上層にＩＴＯ膜などからなる第１電極層８１（陽極層／画素電極）が島状に形成されており、第１電極層８１の上層には、発光部分を規定するための開口部を備えた感光性樹脂などからなる厚い隔壁５１が形成されている。
【００３３】
第１電極層８１の上層には、有機機能層８２および第２電極層８３（陰極層）が積層されており、第１電極層８１、有機機能層８２および第２電極層８３によって、有機ＥＬ素子８０が形成されている。本形態において、有機機能層８２および第２電極層８３は、隔壁５１が形成されている領域も含めて、発光領域１０ａの全面にわたって形成されている。
【００３４】
本形態において、有機機能層８２は、トリアリールアミン（ＡＴＰ）多量体からなる正孔注入層、ＴＰＤ（トリフェニルジアミン）系正孔輸送層、アントラセン系ドーパントやルブレン系ドーパントを含むスチリルアミン系材料（ホスト）からなる発光層、アルミニウムキノリノール（Ａｌｑ3）からなる電子注入層をこの順に積層した構造を有しており、その上層にＭｇＡｇなどの薄膜金属からなる第２電極層８３が形成されている。また、有機機能層８２と第２電極層８３との間には、ＬｉＦからなる電子注入層やバッファ層が形成されることもある。これらの材料のうち、有機機能層８２を構成する各層、および電子注入バッファ層は、加熱ボート（るつぼ）を用いた真空蒸着法で順次形成することができる。また、第２電極層８３などを構成する金属系材料については真空蒸着法により形成でき、第１電極層８１を構成するＩＴＯなどの酸化物材料についてはＥＣＲプラズマスパッタ法やプラズマガン方式イオンプレーティング法、マグネトロンスパッタ法などの高密度プラズマ成膜法により形成することができる。
【００３５】
本形態において、有機ＥＬ素子８０は、白色光、または赤色（Ｒ）、緑色（Ｇ）、青色（Ｂ）の混合色光を出射する。このため、有機ＥＬ装置１００では、封止基板９５において、有機ＥＬ素子８０と対向する位置に形成した赤色（Ｒ）、緑色（Ｇ）、青色（Ｂ）のカラーフィルタ層２２（Ｒ）、（Ｇ）、（Ｂ）によって色変換を行なうことにより、フルカラー表示を行なう。すなわち、封止基板９５では、ポリエチレンテレフタレート、アクリル樹脂、ポリカーボネート、ポリオレフィンなどプラスチック基板や、ガラス基板などからなる透光性基板に、赤色（Ｒ）、緑色（Ｇ）、青色（Ｂ）のカラーフィルタ層２２（Ｒ）、（Ｇ）、（Ｂ）、カラーフィルタ層２２（Ｒ）、（Ｇ）、（Ｂ）の間で光の漏洩を防止するための遮光層２３（ブラックマトリックス層）、透光性の平坦化膜２４、酸窒化シリコン層などからなる透光性のガスバリア層２５がこの順に形成されている。本形態において、カラーフィルタ層２２（Ｒ）、（Ｇ）、（Ｂ）、遮光層２３、平坦化膜２４、およびガスバリア層２５は、封止基板９５の発光領域１０ａのみに形成され、周辺領域１０ｃには形成されていない。このため、封止基板９５の周辺領域１０ｃでは、支持基板２０ｄが露出している。
【００３６】
カラーフィルタ層２２（Ｒ）、（Ｇ）、（Ｂ）は、透明バインダー層に顔料または染料が混合されている層であり、赤（Ｒ）、緑（Ｇ）、青（Ｂ）を用いるのが基本であるが、目的に応じてライトブルーやライトシアン、白などを加えてもよい。カラーフィルタ層２２（Ｒ）、（Ｇ）、（Ｂ）の厚みは、光線透過率を考慮して極力薄い方がよく、０．１〜１.５μｍの範囲で形成され、その厚さは、対応する色によって相違させることもある。遮光層２３は、黒色顔料を含んだ樹脂からなる。なお、封止基板９５には、紫外線の入射を防止する紫外線遮断・吸収層や、光反射防止層、放熱層などの機能層が形成されることもある。
【００３７】
（封止膜の構成）
本形態の有機ＥＬ装置１００では、封止基板９５、第１封止樹脂層９１および第２封止樹脂層９２からなる封止体９０によって有機ＥＬ素子８０を封止するとともに、第２電極層８３の上層には、発光領域１０ａよりも広い領域にわたって封止膜６０が形成されている。かかる封止膜６０として、本形態では、第２電極層８３上に積層されたシリコン化合物からなる第１膜６１、この第１膜６１上に積層された樹脂層からなる第２膜６２、およびこの第２膜６２上に積層されたシリコン化合物からなる第３膜６３を備えた積層膜が用いられている。第１膜６１および第３膜６３は、高密度プラズマ源を用いた高密度プラズマ気相成長法、例えば、ブラズマガン方式イオンプレーティング、ＥＣＲプラズマスパッタ、ＥＣＲプラズマＣＶＤ、表面波プラズマＣＶＤ、ＩＣＰ−ＣＶＤなどを用いて成膜された窒化シリコン（ＳｉＮx）や酸窒化シリコン（ＳｉＯxＮy）などから構成されており、かかる薄膜は、低温で成膜しても水分を確実に遮断する高密度ガスバリア層として機能する。第２層６２は、樹脂層から構成されており、隔壁５１や配線などに起因する表面凹凸を平坦化して第１膜６１および第２膜６２にクラックが発生するのを防止する有機緩衝層として機能している。
【００３８】
本形態では、封止膜６０を構成する第１膜６１および第３膜６３（高密度ガスバリア層）は、発光領域１０ａ、発光領域１０ａの近傍領域、および発光領域１０ａから離れた周辺領域１０ｃの全てを含む素子基板１０の全面に形成されている。これに対して、第２層６２（有機緩衝層）は、発光領域１０ａ、および発光領域１０ａの近傍領域のみに分厚く形成され、発光領域１０ａから離れた周辺領域１０ｃには形成されていない。また、絶縁膜１４、１５は概ね、発光領域１０ａのみ形成されている。
【００３９】
（水分および酸素ガスの侵入監視のための構成）
図２（ａ）、（ｂ）、および図３（ａ）、（ｂ）に示すように、本形態の有機ＥＬ装置１００では、封止体９０の外面より内側には、水分および酸素ガスのうちの一方との接触によって特性が変化する感応体２１０が設けられている。また、有機ＥＬ装置１００には、感応体２１０の特性変化を監視する監視手段２２０が設けられている。
【００４０】
より具体的には、第１封止樹脂層９１の外周縁と発光領域１０ａの外周縁とに平面的に挟まれた領域のうち、第１封止樹脂層９１と平面的に重なる領域には、感応体２１０として、金属カルシウム膜２１１が形成されている。ここで、金属カルシウム膜２１１は、封止膜６０を構成する第３膜６３の上層に形成され、第１封止樹脂層９１と接している。
【００４１】
また、封止基板９５の外面側において、封止基板９５および第１封止樹脂層９１を介して金属カルシウム膜２１１と対向する位置には、監視手段２２０として、光センサ２２１が設けられ、光センサ２２１は、金属カルシウム膜２１１の表面からの反射光を受光する。
【００４２】
ここで、金属カルシウム膜２１１は、第１封止樹脂層９１の各辺に複数配置され、複数の金属カルシウム膜２１１の各々に対向する位置に光センサ２２１が配置されている。なお、金属カルシウム膜２１１の平面形状については、円形であっても矩形であってもよい。
【００４３】
このように構成した有機ＥＬ装置１００において、金属カルシウム膜２１１は、水分と接触すると表面に水酸化カルシウム膜が形成されて反射率が低下する。また、金属カルシウム膜２１１は、酸素と接触すると表面に酸化カルシウム膜が形成されて反射率が低下する。従って、監視手段２２０としての光センサ２２１によって、金属カルシウム膜２１１表面の反射率を監視するだけで、第１封止樹脂層９１、あるいは第１封止樹脂層９１と素子基板１０との界面を介しての水分や酸素ガスの侵入を監視することができる。
【００４４】
なお、光センサ２２１での受光量は、外光などの環境光の強度によって変動する。このため、光センサ２２１での検出結果に基づいて水分や酸素ガスの侵入を監視するにあたっては、参照用の光センサ（図示せず）を設けておき、光センサ２２１での受光結果と、参照用の光センサでの受光結果との比較結果に基づいて、水分や酸素ガスの侵入を監視する。また、光センサ２２１による金属カルシウム膜２１１表面の反射率の監視は、予め設定されたタイミングで行なう。
【００４５】
（製造方法）
本形態の有機ＥＬ装置１００を製造するにあたっては、素子基板１０および封止基板９５を単品サイズの大きさにして貼り合せる方法の他、素子基板１０および封止基板９５を多数取りできる大型基板の状態で貼り合わせ、その後、大型基板を単品サイズの大きさに切断する方法を採用することもある。これらのいずれの方法を採用する場合も、まず、素子基板１０の基体たる支持基板１０ｄに対して、半導体プロセスなどを利用して回路部や、有機ＥＬ素子８０および封止膜６０を形成した後、素子基板１０の端部に対して、マスク蒸着法などにより、金属カルシウム膜２１１を形成する。
【００４６】
次に、第１封止樹脂層塗布工程において、素子基板１０に有機ＥＬ素子８０や封止膜６０を形成した後、ディスペンサ描画、スクリーン印刷法、マイクロピエゾヘッドを用いたインクジェット法などにより、素子基板１０の周辺領域１０ｃに対して、第１封止樹脂層９１を形成するための光硬化性のエポキシ樹脂材料（第１封止樹脂）を塗布する。その際、樹脂材料は、含水率が０．１ｗｔ％（１０００ｐｐｍ）以下まで脱水されていることが好ましい。
【００４７】
次に、第２封止樹脂層塗布工程において、ディスペンサ描画、スクリーン印刷法、マイクロピエゾヘッドを用いたインクジェット法などにより、素子基板１０において、光硬化性のエポキシ樹脂材料で囲まれた領域内に、第２封止樹脂層９２を形成するための熱硬化性のエポキシ樹脂材料（第２封止樹脂）を塗布する。その際、樹脂材料は、含水率が０．１ｗｔ％（１０００ｐｐｍ）以下まで脱水されていることが好ましい。また、第２封止樹脂に対して、酸無水の開環を促進する硬化促進剤やカチオン重合反応を起こす光反応型開始剤などを添加しておけば、低温かつ短時間での硬化が可能となる。
【００４８】
次に、重ね合わせ工程では、第１封止樹脂および第２封止樹脂を間に挟むように素子基板１０と封止基板９５とを重ね合わせる。その際、約６００Ｎ程度の力で封止基板９５を素子基板１０に向けて加圧し、この状態を約２００秒保持する。かかる重ね合わせ工程では、第１封止樹脂が封止基板９５に接触して内側が密閉され、その後、素子基板１０と封止基板９５と間で第２封止樹脂が展開する。かかる重ね合わせ工程は、真空度１Ｐａ程度の減圧雰囲気で行なう。
【００４９】
次に、常圧に戻すと、大気圧によって加圧されたのと同様な状態になるので、素子基板１０と封止基板９５との間で第２封止樹脂が隅々まで展開し、第２封止樹脂の充填性が向上する。その際、第１封止樹脂は、第２封止樹脂に対するバンクとして機能する。このため、減圧状態から常圧に戻した際に大気圧によって加圧されたのと同様な状態になっても、第２封止樹脂は、第１封止樹脂によって堰き止められ、外側に流出しない。
【００５０】
次に、硬化工程では、素子基板１０または／および封止基板９５の側から第１封止樹脂に対して３０ｍＷ/ｃｍ2程度のパワーで２０００ｍＪ/ｃｍ2程度の光量の紫外線を照射して第１封止樹脂のみを選択的に硬化させて、第１封止樹脂層９１を形成する。次に、第１封止樹脂層９１によって貼り合わされた素子基板１０と封止基板９５とをホットプレート上に配置した状態で６０〜１００℃の加熱を行い、素子基板１０と封止基板９５との間で第２封止樹脂を隅々まで行き渡らせながら第２封止樹脂を硬化させ、第２封止樹脂層９２を形成する。このようにして、素子基板１０と封止基板９５とを第１封止樹脂層９１および第２封止樹脂層９２によって貼り合わせた構造とする。
【００５１】
このように構成した有機ＥＬ装置１００において、第２封止樹脂層９２は硬化されているので、高温放置時に対流が起こらないので、封止膜６０の第３層６３を損傷することがなく、第２封止樹脂層９２は、封止膜６０の第３層６３に対する保護膜として機能する。ここで、第２封止樹脂層９２の厚さは１〜５μｍであり、画素が高精細になる程薄い方が好ましい。また、一般的な接着剤に多く含まれる粘土鉱物やシリカボール、樹脂ボールなどの充填物（フィラー）は、封止膜６０の第３層６３を損傷させる原因となるため、第１封止樹脂層９１ａおよび第２封止樹脂層９２ａには、かかる充填物が配合されていないことが好ましく、特に、第２封止樹脂層９２ａは、封止膜６０に接するとともに、光の透過性を考慮すると、充填物が配合されていないことが好ましい。
【００５２】
（本形態の主な効果）
以上説明したように、本形態の有機ＥＬ装置１００では、素子基板１０において、有機ＥＬ素子８０が設けられた発光領域１０ａは封止体９０で覆われ、封止体９０は、大気中の水分や酸素ガスによって有機ＥＬ素子８０が劣化することを防止する。
【００５３】
また、封止体９０の外面より内側には、水分および酸素ガスのうちの一方との接触によって特性が変化する感応体２１０が設けられ、監視手段２２０は、水分や酸素ガスとの接触に起因する感応体２１０の特性変化を監視する。このため、大気中の水分や酸素ガスが封止体９０を介して侵入した際、かかる侵入を検出することができる。従って、有機ＥＬ素子８０が水分や酸素ガスとの接触によって劣化する時期を事前に把握することができる。それ故、有機ＥＬ素子８０が劣化する前に有機ＥＬ装置１００を交換するなどの対策をとることができるので、有機ＥＬ装置１００が使用中に使用不能になってしまう事態を回避することができる。
【００５４】
また、本形態では、封止体９０を構成する封止基板９５、第１封止樹脂層９１および第２封止樹脂層９２のうち、第１封止樹脂層９１の外周縁と発光領域１０ａの外周縁とに挟まれた領域に感応体２１０が設けられている。しかも、感応体２１０は、第１封止樹脂層９１と平面的に重なる領域に設けられている。このため、第１封止樹脂層９１から侵入した水分や酸素ガスが有機ＥＬ素子８０に到達する前に、水分や酸素ガスの侵入を確実に検出することができる。また、感応体２１０は、水分や酸素ガスが侵入しやすい第１封止樹脂層９１と接する位置に設けられているため、第１封止樹脂層９１からの水分や酸素ガスの侵入を確実に検出することができる。さらに、本形態では、第１封止樹脂層９１の各辺に対して感応体２１０を複数ずつ配置したため、第１封止樹脂層９１からの水分や酸素ガスの侵入を確実に検出することができる。また、第１封止樹脂層９１の各辺に対して感応体２１０を複数ずつ配置したため、いずれの箇所から水分や酸素ガスが侵入しやすいかを判定することができ、その結果をフィードバックすることができる。
【００５５】
また、感応体２１０は、素子基板１０に設けられているため、素子基板１０において有機ＥＬ素子８０を形成するための成膜工程に連続して感応体２１０を形成する工程を行なうことができる。それ故、感応体２１０を効率よく形成することができる。
【００５６】
また、本形態では、感応体２１０として、水分および酸素ガスのうちの一方との接触によって反射率が変化する金属カルシウム膜２１１を用い、かかる反射率の変化を光センサ２２１（監視手段）で検出する。このため、有機ＥＬ装置１００の構成を複雑にしなくても、水分や酸素ガスの侵入を検出することができる。
【００５７】
なお、本形態では、感応体２１０として金属カルシウム膜２１１を用いたが、水分や酸素ガスとの接触によって、反射率が低下する金属膜であれば、銀やマグネシウム、アルミニウムなど、金属カルシウム以外の金属膜を用いてもよい。
【００５８】
［実施の形態２］
図４（ａ）、（ｂ）は各々、本発明の実施の形態２に係る有機ＥＬ装置の断面構成を模式的に示す断面図、およびその周辺領域１０ｃの平面構成を模式的に示す平面図である。なお、本形態の基本的な構成は、実施の形態１と同様であるため、共通する部分には同一の符号を付して図示し、それらの説明を省略する。
【００５９】
図４（ａ）、（ｂ）に示すように、本形態の有機ＥＬ装置１００でも、実施の形態１と同様、素子基板１０の発光領域１０ａは、封止基板９５、第１封止樹脂層９１、および第２封止樹脂層９２からなる封止体９０によって封止されている。かかる封止体９０において、封止基板９５は、素子基板１０において有機ＥＬ素子８０が形成されている面側に重ねて配置されている。第１封止樹脂層９１は、発光領域１０ａの周りを囲む周辺領域１０ｃに沿って枠状に形成され、発光領域１０ａより外周側で素子基板１０と封止基板９５とを接着している。第２封止樹脂層９２は、第１封止樹脂層９１で囲まれた領域内において、素子基板１０と封止基板９５とを接着している。
【００６０】
また、本形態の有機ＥＬ装置１００でも、実施の形態１と同様、封止体９０の外面より内側には、水分および酸素ガスのうちの一方との接触によって特性が変化する感応体２１０が設けられている。本形態では、感応体２１０として発光素子２１２が形成され、かかる発光素子２１２は、有機ＥＬ素子８０と同様、第１電極層８１、有機機能層８２および第２電極層８３が積層された有機ＥＬ素子からなる。
【００６１】
ここで、発光素子２１２の下層側では、絶縁膜１４の上層に反射層４１および絶縁膜１５が形成され、絶縁膜１５の上に発光素子２１２が形成されている。また、発光素子２１２の上層には封止膜６０が形成されておらず、発光素子２１２は第１封止樹脂層９１と接している。このように構成した発光素子２１２に対しては、電源２１４から配線２１３を介して定電圧あるいは定電流が供給される。
【００６２】
また、本形態の有機ＥＬ装置１００では、封止基板９５の外面側において、封止基板９５および第１封止樹脂層９１を介して発光素子２１２と対向する位置には、監視手段２２０として、光センサ２２１が設けられ、光センサ２２１は、発光素子２１２から出射された光を受光する。
【００６３】
発光素子２１２は、第１封止樹脂層９１の各辺に複数配置され、複数の光センサ２２１の各々に対向する位置に光センサ２２１が配置されている。
【００６４】
このように構成した有機ＥＬ装置１００において、発光素子２１２は、有機ＥＬ素子からなるため、有機機能層８２などが水分や酸素と接触すると、発光強度が低下し、さらには発光しなくなる。従って、監視手段２２０としての光センサ２２１によって、発光素子２１２から出射された光を監視するだけで、第１封止樹脂層９１、あるいは第１封止樹脂層９１と素子基板１０との界面を介しての水分や酸素ガスの侵入を監視することができる。なお、発光素子２１２への電流あるいは電流の供給、および光センサ２２１による検出は、予め設定されたタイミングで行なう。
【００６５】
以上説明したように、本形態の有機ＥＬ装置１００でも、実施の形態１と同様、封止体９０の外面より内側には、水分および酸素ガスのうちの一方との接触によって特性が変化する感応体２１０が設けられ、監視手段２２０は、水分や酸素ガスとの接触に起因する感応体２１０の特性変化を監視する。このため、大気中の水分や酸素ガスが封止体９０を介して侵入した際、かかる侵入を検出することができるので、有機ＥＬ素子８０が水分や酸素ガスとの接触によって劣化する時期を事前に把握することができるなど、実施の形態１と同様な効果を奏する。
【００６６】
なお、本形態では、感応体２１０を構成する発光素子２１２として有機ＥＬ素子を用いたが、水分や酸素ガスとの接触によって、発光強度が低下する発光素子であれば、他の発光素子を用いてもよい。
【００６７】
［実施の形態３］
図５（ａ）、（ｂ）は各々、本発明の実施の形態３に係る有機ＥＬ装置の断面構成を模式的に示す断面図、およびその周辺領域１０ｃの平面構成を模式的に示す平面図である。なお、本形態の基本的な構成は、実施の形態１と同様であるため、共通する部分には同一の符号を付して図示し、それらの説明を省略する。
【００６８】
図５（ａ）、（ｂ）に示すように、本形態の有機ＥＬ装置１００でも、実施の形態１と同様、素子基板１０の発光領域１０ａは、封止基板９５、第１封止樹脂層９１、および第２封止樹脂層９２からなる封止体９０によって封止されている。かかる封止体９０において、封止基板９５は、素子基板１０において有機ＥＬ素子８０が形成されている面側に重ねて配置されている。第１封止樹脂層９１は、発光領域１０ａの周りを囲む周辺領域１０ｃに沿って枠状に形成され、発光領域１０ａより外周側で素子基板１０と封止基板９５とを接着している。第２封止樹脂層９２は、第１封止樹脂層９１で囲まれた領域内において、素子基板１０と封止基板９５とを接着している。
【００６９】
本形態の有機ＥＬ装置１００でも、実施の形態１と同様、封止体９０の外面より内側には、水分および酸素ガスのうちの一方との接触によって特性が変化する感応体２１０が設けられている。また、有機ＥＬ装置１００には、感応体２１０の特性変化を監視する監視手段２２０が設けられている。
【００７０】
本形態において、感応体２１０は、金属カルシウム膜２１５である。また、金属カルシウム膜２１５の両端から配線２１６が延在しており、かかる配線２１６には、電源回路２２８および電流検出回路２２９を備えた抵抗測定回路２２７が監視手段２２０として接続されている。
【００７１】
ここで、金属カルシウム膜２１５は、第１封止樹脂層９１の各辺に複数配置され、複数の金属カルシウム膜２１５の各々に抵抗測定回路２２７（監視手段２２０）が構成されている。
【００７２】
このように構成した有機ＥＬ装置１００において、金属カルシウム膜２１５は、水分と接触すると表面に水酸化カルシウム膜が形成されて抵抗値が増大する。また、金属カルシウム膜２１５は、酸素と接触すると表面に酸化カルシウム膜が形成されて抵抗値が増大する。従って、監視手段２２０としての抵抗測定回路２２７によって、金属カルシウム膜２１５の抵抗値を監視するだけで、第１封止樹脂層９１、あるいは第１封止樹脂層９１と素子基板１０との界面を介しての水分や酸素ガスの侵入を監視することができる。
【００７３】
なお、抵抗測定回路２２７による金属カルシウム膜２１５の抵抗値の監視は、予め設定されたタイミングで行なう。
【００７４】
以上説明したように、本形態の有機ＥＬ装置１００でも、実施の形態１と同様、封止体９０の外面より内側には、水分および酸素ガスのうちの一方との接触によって特性が変化する感応体２１０が設けられ、監視手段２２０は、水分や酸素ガスとの接触に起因する感応体２１０の特性変化を監視する。このため、大気中の水分や酸素ガスが封止体９０を介して侵入した際、かかる侵入を検出することができるので、有機ＥＬ素子８０が水分や酸素ガスとの接触によって劣化する時期を事前に把握することができるなど、実施の形態１と同様な効果を奏する。
【００７５】
なお、本形態では、感応体２１０として金属カルシウム膜２１５を用いたが、水分や酸素ガスとの接触によって、抵抗値が変化する導電膜であれば、マグネシウムなど、金属カルシウム以外の導電膜を用いてもよい。
【００７６】
［別の実施の形態］
図６は、本発明の別の実施の形態に係る有機ＥＬ装置の平面的な構成を各構成要素と共に封止基板側から見た平面図である。
【００７７】
上記実施の形態１〜３では、感応体２１０が第１封止樹脂層９１の各辺に複数配置された構成であったが、図６に示すように、感応体２１０が第１封止樹脂層９１の各辺において辺全体に延在している構成であってもよい。
【００７８】
［他の実施の形態］
上記実施の形態では、トップエミッション型の有機ＥＬ装置１００において封止基板９５にカラーフィルタ層２２（Ｒ）、（Ｇ）、（Ｂ）を設けた場合を例に説明したが、有機ＥＬ素子８０自身が各色の光を出射する有機ＥＬ装置に本発明を適用してもよい。また、上記実施の形態では、カラー表示用の有機ＥＬ装置１００を例に説明したが、複写機の光学ヘッドなどとして利用する場合には、モノクロでよく、このようなモノクロ用の有機ＥＬ装置１００に本発明を適用してもよい。
【００７９】
上記実施の形態では、発光領域１０ａに複数の有機ＥＬ素子８０が複数、形成されている構成であったが、有機ＥＬ装置１００を光源装置として用いる場合のように、発光領域１０ａに１つの有機ＥＬ素子８０が形成されている場合に本発明を適用してもよい。
【００８０】
上記実施の形態では、トップエミッション型の有機ＥＬ装置１００を例に説明したが、ボトムエミッション型の有機ＥＬ装置に本発明を適用してもよい。この場合、感応体２１０は発光領域１０ａと平面的に重なる位置に配置してもよい。
【００８１】
上記実施の形態では、封止体９０が封止基板９５、第１封止樹脂層９１および第２封止樹脂層９２からなる構成であったが、封止体９０が封止基板９５および第１封止樹脂層９１からなり、第２封止樹脂層９２が形成されていない場合に本発明を適用してもよい。また、上記実施の形態では、封止体９０に用いる封止部材として封止基板９５を用いたが、キャップや缶などと称せられる封止部材を用いた場合に本発明を適用してもよい。
【００８２】
上記実施の形態では、有機機能層８２を発光領域１０ａの全面に形成した例を説明したが、隔壁５１で囲まれた領域内にインクジェット法などで有機機能層を選択的に塗布した後、定着させて、第１電極層８１の上層には、３，４−ポリエチレンジオシチオフェン／ポリスチレンスルホン酸（ＰＥＤＯＴ／ＰＳＳ）などからなる正孔注入層、および発光層からなる有機機能層が形成された有機ＥＬ装置に発明を適用してもよい。この場合、発光層は、例えば、ポリフルオレン誘導体、ポリフェニレン誘導体、ポリビニルカルバゾール、ポリチオフェン誘導体、またはこれらの高分子材料に、ペリレン系色素、クマリン系色素、ローダミン系色素、例えばルブレン、ペリレン、９，１０−ジフェニルアントラセン、テトラフェニルブタジエン、ナイルレッド、クマリン６、キナクリドン等をドープした材料から構成される。また、発光層としては、二重結合のπ電子がポリマー鎖上で非極在化しているπ共役系高分子材料が、導電性高分子でもあることから発光性能に優れるため、好適に用いられる。特に、その分子内にフルオレン骨格を有する化合物、すなわちポリフルオレン系化合物がより好適に用いられる。また、このような材料以外にも、共役系高分子有機化合物の前駆体と、発光特性を変化させるための少なくとも１種の蛍光色素とを含んでなる組成物も使用可能である。
【００８３】
上記実施の形態では、素子基板１０の側に感応体２１０を配置したが、封止基板９５の側に感応体２１０を配置してもよい。
【００８４】
上記実施の形態１では、感応体２１０として、水分や酸素によって反射率が変化する金属膜を用いたが、水分や酸素によって透過率や色相が変化する感応体２１０を用いてもよい。
【００８５】
上記実施の形態１、２では、封止基板９５の側に光センサ２２１（監視手段２２０）を配置したが、素子基板１０の側に光センサ２２１（監視手段２２０）を配置してもよい。
【００８６】
［電子機器への搭載例］
図７を参照して、上述した実施形態に係る有機ＥＬ装置１００を搭載した電子機器について説明する。図７は、本発明に係る有機ＥＬ装置を用いた電子機器の説明図である。
【００８７】
図７（ａ）に、有機ＥＬ装置１００を備えたモバイル型のパーソナルコンピュータの構成を示す。パーソナルコンピュータ２０００は、表示ユニットとしての有機ＥＬ装置１００と本体部２０１０を備える。本体部２０１０には、電源スイッチ２００１及びキーボード２００２が設けられている。図７（ｂ）に、有機ＥＬ装置１００を備えた携帯電話機の構成を示す。携帯電話機３０００は、複数の操作ボタン３００１及びスクロールボタン３００２、並びに表示ユニットとしての有機ＥＬ装置１００を備える。スクロールボタン３００２を操作することによって、有機ＥＬ装置１００に表示される画面がスクロールされる。図７（ｃ）に、有機ＥＬ装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての有機ＥＬ装置１００を備える。電源スイッチ４００２を操作すると、住所録やスケジュール帳といった各種の情報が有機ＥＬ装置１００に表示される。なお、有機ＥＬ装置１００が適用される電子機器としては、図７（ａ）〜（ｃ）に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した有機ＥＬ装置１００が適用可能である。
【００８８】
特に、本発明を適用した有機ＥＬ装置１００は、水分や酸素による劣化を事前に把握することができることから、医療分野、航空分野など、高い信頼性が求められる用途にも十分、対応することができる。
【図面の簡単な説明】
【００８９】
【図１】本発明を適用した有機ＥＬ装置の電気的な構成を示す等価回路図である。
【図２】（ａ）、（ｂ）は各々、本発明の実施の形態１に係る有機ＥＬ装置の平面的な構成を各構成要素と共に封止基板側から見た平面図、およびそのＪ−Ｊ′断面図である。
【図３】（ａ）、（ｂ）は各々、本発明の実施の形態１に係る有機ＥＬ装置の断面構成を模式的に示す断面図、およびその周辺領域の平面構成を模式的に示す平面図である。
【図４】（ａ）、（ｂ）は各々、本発明の実施の形態２に係る有機ＥＬ装置の断面構成を模式的に示す断面図、およびその周辺領域の平面構成を模式的に示す平面図である。
【図５】（ａ）、（ｂ）は各々、本発明の実施の形態３に係る有機ＥＬ装置の断面構成を模式的に示す断面図、およびその周辺領域の平面構成を模式的に示す平面図である。
【図６】本発明の別の実施の形態に係る有機ＥＬ装置の平面的な構成を各構成要素と共に封止基板側から見た平面図である。
【図７】本発明に係る有機ＥＬ装置を用いた電子機器の説明図である。
【符号の説明】
【００９０】
１０・・素子基板、１０ａ・・発光領域、１０ｃ・・周辺領域、８０・・有機ＥＬ素子、８１・・第１電極層、８２・・有機機能層、８３・・第２電極層、９０・・封止体、９１・・第１封止樹脂層、９２・・第２封止樹脂層、９５・・封止基板（封止部材）、１００・・有機ＥＬ装置、１００ａ・・画素、２１０・・感応体、２１１、２１５・・金属カルシウム膜（感応体）、２１２・・発光素子（感応体）、２２０・・監視手段、２２１・・光センサ（監視手段）、２２７・・抵抗測定回路（電気回路／監視手段）
【図１】
2010160905.tif 000003
【図２】
2010160905.tif 000004
【図３】
2010160905.tif 000005
【図４】
2010160905.tif 000006
【図５】
2010160905.tif 000007
【図６】
2010160905.tif 000008
【図７】
2010160905.tif 000009